(57)【要約】【課題】少なくとも２種類の種子、肥料又は薬剤を同時に播いて、覆土できるようにする。【解決手段】本発明の不耕起直播機１は、機体２の進行方向とは逆方向に回転し地表に播種溝を刻設する溝切り用爪車５と、該溝切り用爪車５の上方に配置され該溝切り用爪車５によりはね上げられた土を後方に案内する土壌案内カバー７と、種子、肥料又は薬剤を繰り出す２つの種子等供給装置９ａ，９ｂと、該各種子等供給装置９ａ，９ｂの種子等供給管１８がそれぞれ連結され、溝切り用爪車５の後方において開口する種子等落下筒８とを備えている。【選択図】　　　図１
2004141021.tif 000002
【特許請求の範囲】
【請求項１】
機体の進行方向とは逆方向に回転し地表に播種溝を刻設する溝切り用爪車と、該溝切り用爪車の上方に配置され該溝切り用爪車によりはね上げられた土を後方に案内する土壌案内カバーと、種子、肥料又は薬剤を繰り出す少なくとも２つの種子等供給装置と、該各種子等供給装置の種子等供給管がそれぞれ連結され、前記溝切り用爪車の後方において開口する種子等落下筒とを備えた不耕起直播機。
【請求項２】
少なくとも一つの前記種子等供給装置の種子等供給管には、種子、肥料又は薬剤を溜めておき一定周期ごとに放出する点播機構が設けられた請求項１記載の不耕起直播機。
【発明の詳細な説明】
【０００１】
【発明の属する技術分野】
本発明は、不耕起圃場に播種溝を刻設し、その播種溝に対して稲、麦、大豆等の種子、肥料又は薬剤を播き、その上に砕土した土を覆土しながら走行する不耕起直播機に関するものである。
【０００２】
【従来の技術】
不耕起圃場に種子を播種する装置としては、本出願人の発明に係る特許文献１に開示された不耕起直播機を例示する。この直播機は、機体の進行方向とは逆方向に回転し地表に播種溝を刻設する溝切り用爪車と、該溝切り用爪車の上方に配置され該溝切り用爪車によりはね上げられた土を後方に案内する土壌案内カバーと、該溝切り用爪車の後方において開口する種子落下筒と、該種子落下筒に種子を供給する一つの種子供給装置とを備えている。
【０００３】
【特許文献１】
特開平８−２９８８１３
【０００４】
【発明が解決しようとする課題】
ところで、発芽時期の異なる２種類の種子を同時に播いておき、まず発芽時期の早いものを収穫し、その後発芽時期の遅いものを収穫（例えば、稲と麦の種子を秋に同時に播き、まず、春に麦を収穫し、その後秋に稲を収穫）する省力栽培方法がある。従来の直播機により、この栽培方法を行うには、まず、一方の種子を播き、次に、前記一方の種子の播種溝とはずらした位置に他方の種子を播く必要がある。このように、二回の播種作業が必要となり、しかも二回目の播種作業では一回目に種子を播いた播種溝と平行に位置をずらして播く必要があるので、手間がかかるという問題がある。
【０００５】
本発明の目的は、上記課題を解決し、少なくとも２種類の種子、肥料又は薬剤を同時に播いて、覆土できる不耕起直播機を提供することにある。
【０００６】
【課題を解決するための手段】
上記目的を達成するために、本発明の不耕起直播機は、機体の進行方向とは逆方向に回転し地表に播種溝を刻設する溝切り用爪車と、該溝切り用爪車の上方に配置され該溝切り用爪車によりはね上げられた土を後方に案内する土壌案内カバーと、種子、肥料又は薬剤を繰り出す少なくとも２つの種子等供給装置と、該各種子等供給装置の種子等供給管がそれぞれ連結され、前記溝切り用爪車の後方において開口する種子等落下筒とを備えている。
【０００７】
この構成によれば、少なくとも２種類の種子、肥料又は薬剤が同時に播種溝に落下されるので、播種作業の回数を少なくすることができる。また、この少なくとも２種類の種子、肥料又は薬剤は、同じ種子等落下筒から落下されるので、播種溝に同一条件で播いて、覆土することができる。
【０００８】
前記不耕起直播機においては、少なくとも一つの前記種子等供給装置の種子等供給管には、種子、肥料又は薬剤を溜めておき一定周期ごとに放出する点播機構が設けられた態様を例示する。
【０００９】
この構成によれば、少なくとも一つの種子等供給装置内の種子、肥料又は薬剤を点播機構で点播し、他の種子等供給装置内の種子、肥料又は薬剤を条播することができる。従って、点播、条播を組み合わせることができるため、それぞれの作物で最適な生育条件が得られるようにすることができる。また、例えば一種類の種子、肥料又は薬剤を条播、点播に使い分けることもできる。
【００１０】
【発明の実施の形態】
図１〜図４は、本発明を具体化した一実施形態の不耕起直播機を示している。この直種機１は、トラクタ（図示略）により牽引・駆動されるトラクターアタッチ用のものであり、機体２と、該機体２の前後にそれぞれ回転可能に支持された前輪３及び後輪４と、機体の進行方向とは逆方向に回転し地表に播種溝Ａを刻設する溝切り用爪車５と、該播種溝Ａに肥料を施す施肥装置６と、該溝切り用爪車５の上方に配置され該溝切り用爪車５によりはね上げられた土を後方に案内する土壌案内カバー７と、該溝切り用爪車５の後方において開口する種子等落下筒８と、該種子等落下筒８に種子Ｓ、肥料又は薬剤（以下、「種子Ｓ等」という。）を供給する少なくとも２つの種子等供給装置９ａ，９ｂとを備えている。機体２は、前方に延びるリフトアーム１２及びマスト１３を備えており、これらが前記トラクターに装着されて、牽引されるようになっている。
【００１１】
各種子等供給装置９ａ，９ｂは、機体２に支持された種子等ホッパー１５と、該種子等ホッパー１５の下部に連設された種子等収納部としての種子等収納ケース１６と、該種子等収納ケース１６の下方開口部に設けられて該種子等収納ケース１６から種子Ｓ等を繰り出す繰出部１７と、該繰り出された種子Ｓ等を種子等落下筒８に案内する種子等供給管１８とを備えている。
【００１２】
種子等落下筒８は、その入口側がＹ字状に分岐されることにより２つの入口８ａ，８ｂを備えている。この各入口８ａ，８ｂには各種子等供給装置９ａ，９ｂの種子等供給管１８がそれぞれ連結されている。前側の種子等供給管１８を接続する入口側の管路には、種子Ｓ等を溜めておき一定周期ごとに放出する点播機構２０が設けられている。この点播機構２０は、管路を開閉自在に設けられたシャッター２１と、該シャッター２１が管路を閉じるように付勢する付勢手段（図示略）と、周縁に一定間隔で突起が形成されたシャッター駆動用の板カム２２と、基端側がシャッター２１の回動軸２１ａに連結されるとともに先端側が板カム２２の周縁の形状に沿って従動する従節２３とを備えている。そして、板カム２２が後輪４の回転に同期して回転されることにより、該板カム２２の突起によりシャッター２１が開かれるようになっている。
【００１３】
また、種子等落下筒８は、板カム２２の回転軸２２ａと同芯の軸を中心に前後方向へ角度調整可能に機体２に支持されており、これにより覆土及び床土の量を調整することができるようになっている。具体的には、種子等落下筒８を前方に回動させると床土量が少なく覆土量が多くなり、逆に後方に回動させると床土量が多く覆土量が少なくなるようになっている。
【００１４】
次に、本直播機１の動作例について説明する。本例では、各種子等供給装置９ａ，９ｂには、それぞれ種子Ｓａ，Ｓｂが収納されているものとする。図４に示すように、進行方向とは逆方向に回転する溝切り用爪車５により地表に播種溝Ａが刻設され、そのときはね上げられた土は土壌案内カバー７により後方に案内され、該土壌案内カバー７を出た土は後方の播種溝Ａ上に一定範囲に分散して落下し（落下軌跡を破線で示す）、種子Ｓａ，Ｓｂの床土及び覆土となる。このとき、図２及び図４に示すように、前側の種子等供給装置９ａから繰り出された種子Ｓａ（例えば米の種子。図中、中央に線が記入されたもの）は、種子等供給管１８を通り、点播機構２０に至る。そして、種子Ｓａは、点播機構２０により溜められて一定周期ごとに放出され、種子等落下筒８から播種溝Ａ内に落とされる。また、後側の種子等供給装置９ｂから繰り出された種子Ｓｂ（例えば麦の種子。図中、中央に線が記入されていないもの）は、種子等供給管１８を通って、そのまま種子等落下筒８から播種溝Ａ内に落とされる。
【００１５】
上記実施例はトラクターアタッチ用の直播機１について説明したが、本発明はテーラ牽引用のものや手押し式のもの等の各種直播機において実施可能であり、上記実施例には限定されない。
【００１６】
以上のように構成された本発明の直播機１によれば、種子等落下筒８に種子Ｓ等を供給する２つの種子等供給装置９ａ，９ｂを備え、各種子等供給装置９ａ，９ｂの種子等供給管１８は、種子等落下筒８に連結されることにより、少なくとも２種類の種子Ｓ等を同時に播種溝Ａに落下させることができるので、播種作業の回数を少なくすることができる。また、この２種類の種子Ｓ等は、同じ種子等落下筒８から落下されるので、播種溝Ａに同一条件で播いて、覆土することができる。
【００１７】
また、前側の種子等供給装置９ａの種子等供給管１８には点播機構２０が設けられているので、例えば前記動作例のように種子等供給装置９ａ内の種子Ｓａを点播機構２０で点播し、後側の種子等供給装置９ｂ内の種子Ｓｂを条播することができる。従って、点播、条播を組み合わせることができるため、それぞれの作物で最適な生育条件が得られるようにすることができる。また、例えば、一種類の種子Ｓ等について種子等供給装置９ａ，９ｂを使い分けることにより、該一種類の種子Ｓ等を条播、点播に使い分けることもできる。
【００１８】
なお、本発明は前記実施形態に限定されるものではなく、例えば以下のように、発明の趣旨から逸脱しない範囲で適宜変更して具体化することもできる。
（１）２以上の種子等供給装置に点播機構を設けること。そして、それぞれの点播のタイミングをずらすように構成することもできる。図５は、２つの種子等供給装置９にそれぞれ点播機構２０を設けた不耕起直播機の例を示している。
（２）点播機構２０のシャッター２１を開放状態に固定しておくことにより、両方の種子Ｓ等を条播とすること。
【００１９】
【発明の効果】
本発明の不耕起直播機によれば、少なくとも２種類の種子、肥料又は薬剤を同時に播いて、覆土できるという優れた効果を奏する。
【図面の簡単な説明】
【図１】本発明の一実施形態に係る不耕起直播機の側面図である。
【図２】同直播機の種子等落下筒を示す部分側断面図である。
【図３】同直播機の背面図である。
【図４】同直播機の動作を示す部分側面図である。
【図５】同直播機の種子等落下筒の変更例を示す部分側断面図である。
【符号の説明】
１　　不耕起直播機
２　　機体
５　　溝切り用爪車
６　　施肥装置
７　　土壌案内カバー
８　　種子等落下筒
９ａ，９ｂ　種子等供給装置
１８　　種子等供給管
２０　　点播機構
Ａ　　播種溝
Ｓ　　種子
【図１】
2004141021.tif 000003
【図２】
2004141021.tif 000004
【図３】
2004141021.tif 000005
【図４】
2004141021.tif 000006
【図５】
2004141021.tif 000007